(57)【要約】【課題】  遊技で獲得したメダルを遊技機のメダル投入口へ遊技者の手で投入することなくシュートで移送して自動的にクレジットでき、しかも遊技機の最大クレジット枚数を超えない枚数のメダルを払い出してクレジットできるようにする。【解決手段】  補給路４で補給されたメダルｍを払い出し時まで一時貯留するホッパー２２を備え、同ホッパー２２から投入金額に応じて払い出した貸出メダルを隣接する遊技機のメダル投入口に移送してクレジットするシュート２４を備え、遊技で獲得した獲得メダルｍａを投入する獲得メダル投入口２５を設け、獲得メダル投入口２５に投入された獲得メダルｍａの投入枚数を計数するメダル計数機２６ａを設け、クレジット枚数を遊技者が入力指定できる入力装置３１を設け、同入力装置３１で指定された枚数のメダルｍをホッパー２２から払い出すように制御するコントローラ２９を設けた。【選択図】図３
2008200257.tif 000002
【特許請求の範囲】
【請求項１】
外部から補給されたメダルを払い出し時まで一時貯留するホッパーを備え、同ホッパーから投入金額に応じて払い出した貸出メダルを隣接する遊技機のメダル投入口にシュートで移送してクレジットする遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをメダル供給機外の回収ラインに排出する排出路を設け、クレジット枚数を遊技者が入力指定できる入力手段を設け、同入力手段で指定された枚数のメダルをホッパーから払い出すように制御する制御手段を設けたことを特徴とする、遊技設備のメダル供給機。
【請求項２】
外部から補給されたメダルを払い出し時まで一時貯留するホッパーを備え、同ホッパーから投入金額に応じて払い出した貸出メダルを隣接する遊技機のメダル投入口にシュートで移送してクレジットする遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをホッパーに送る送出路を設け、クレジット枚数を遊技者が入力指定できる入力手段を設け、同入力手段で指定された枚数のメダルをホッパーから払い出すように制御する制御手段を設けたことを特徴とする、遊技設備のメダル供給機。
【請求項３】
ホッパー内のメダルが一定の貯留量を超えた場合に獲得メダル投入口を閉鎖する投入禁止手段を設けた、請求項２記載の遊技設備のメダル供給機。
【請求項４】
入力手段が、テンキー又は予め設定した払い出し枚数を選択できる複数の枚数指定ボタンを備えたものである、請求項１〜３いずれか記載の遊技設備のメダル供給機。
【請求項５】
遊技機にクレジットできるメダルの現在枚数を表示する表示手段を設けた、請求項１〜４いずれか記載の遊技設備のメダル供給機。
【発明の詳細な説明】
【技術分野】
【０００１】
本発明は、メダル貸し機にメダルを移送するシュートを取り付け、投入金額に応じて払い出したメダルを隣接する遊技機のメダル投入口にシュートで移送して自動的にクレジットできるようにする遊技設備のメダル供給機に関する。
【背景技術】
【０００２】
従来、メダルを投入して遊技する遊技機では、遊技者がメダル貸し機で借りたメダルを遊技機の受皿に一旦移し、これをメダル投入口に１枚ずつ投入して遊技している。近年ではメダルを受皿に移したりメダル投入口に投入する手間を省略するために、メダル貸し機の供給口にメダルを移送するシュートを取り付け、シュートの先端部を遊技機のメダル投入口に係合してメダルの投入を遊技者に代わって自動的に行えるようにしたメダル供給機が提案されている（例えば特許文献１参照）。
【０００３】
ところで、この技術は遊技の結果により獲得した獲得メダルが遊技機の受皿に貯まっていくから、この獲得メダルをクレジットに使用する際はシュートをメダル投入口から一旦取り外した後に遊技者の手で１枚ずつ投入する必要があり、依然として煩わしい作業が残っていた。
【０００４】
そこで、獲得メダルを投入する獲得メダル投入口をメダル貸し機に設け、獲得メダル投入口に投入された獲得メダルの投入枚数を計数するメダル計数機を設け、計数された獲得メダルの枚数と同数のメダルをホッパーから払い出すように制御する制御手段を設けたメダル供給機も提案されている。この技術によれば、獲得メダルも遊技者の手を要することなく全てシュートでクレジットできるから、遊技者はシュートの取り外しや獲得メダルの１枚ずつの投入など煩わしい作業から解放されるというものである。
【０００５】
しかしながら、遊技機はクレジット枚数に上限が設定されているから、その上限を超えた枚数のメダルをクレジットすると超過分のメダルが受皿に払い出されてしまい、その受皿のメダルを獲得メダル投入口に戻すという余分な作業が発生する問題があった。
【特許文献１】特開２００１−４６７２３号公報
【発明の開示】
【発明が解決しようとする課題】
【０００６】
本発明が解決しようとする課題は、従来のこれらの問題点を解消し、遊技で獲得したメダルを遊技機のメダル投入口へ遊技者の手で投入することなくシュートで移送して自動的にクレジットでき、しかも遊技機の最大クレジット枚数を超えない枚数のメダルを払い出してクレジットできる遊技設備のメダル供給機を提供することにある。
【課題を解決するための手段】
【０００７】
かかる課題を解決した本発明の構成は、
１）  外部から補給されたメダルを払い出し時まで一時貯留するホッパーを備え、同ホッパーから投入金額に応じて払い出した貸出メダルを隣接する遊技機のメダル投入口にシュートで移送してクレジットする遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをメダル供給機外の回収ラインに排出する排出路を設け、クレジット枚数を遊技者が入力指定できる入力手段を設け、同入力手段で指定された枚数のメダルをホッパーから払い出すように制御する制御手段を設けたことを特徴とする、遊技設備のメダル供給機
２）  外部から補給されたメダルを払い出し時まで一時貯留するホッパーを備え、同ホッパーから投入金額に応じて払い出した貸出メダルを隣接する遊技機のメダル投入口にシュートで移送してクレジットする遊技設備のメダル供給機において、遊技で獲得した獲得メダルを投入する獲得メダル投入口を設け、獲得メダル投入口に投入された獲得メダルの投入枚数を計数するメダル計数機を設け、計数された獲得メダルをホッパーに送る送出路を設け、クレジット枚数を遊技者が入力指定できる入力手段を設け、同入力手段で指定された枚数のメダルをホッパーから払い出すように制御する制御手段を設けたことを特徴とする、遊技設備のメダル供給機
３）  ホッパー内のメダルが一定の貯留量を超えた場合に獲得メダル投入口を閉鎖する投入禁止手段を設けた、前記２）記載の遊技設備のメダル供給機
４）  入力手段が、テンキー又は予め設定した払い出し枚数を選択できる複数の枚数指定ボタンを備えたものである、前記１）〜３）いずれか記載の遊技設備のメダル供給機
５）  遊技機にクレジットできるメダルの現在枚数を表示する表示手段を設けた、前記１）〜４）いずれか記載の遊技設備のメダル供給機
にある。
【発明の効果】
【０００８】
本発明によれば、獲得メダルは遊技の合間をみて獲得メダル投入口にまとめて投入しておき、投入して計数された枚数分のメダルはホッパーからシュートにより遊技機のメダル投入口へ移送してクレジットされる。従って、獲得メダルも遊技者の手を要することなく全てシュートでクレジットできるから、遊技者はシュートの取り外しや獲得メダルの１枚ずつの投入など煩わしい作業から解放されて遊技に集中できるようになる。また、遊技機の最大クレジット枚数を超えない枚数のメダルを払い出すように入力手段で制限することで、遊技機の受皿に払い出された超過分のメダルをメダル供給機の獲得メダル投入口に戻す作業を省略でき、遊技者にとって遊技機以外の操作事がさらに軽減されて遊技に集中できるようになる。
【発明を実施するための最良の形態】
【０００９】
本発明の入力手段としては、テンキー又は予め設定した払い出し枚数を選択できる複数の枚数指定ボタンを備えたものがあり、任意に選択される。一度使用したメダルは排出路で回収ラインへ排出し、メダル供給機のホッパーには常に洗浄研磨したメダルを補給して払い出するようにすると、遊技機の受皿には常に洗浄研磨済みのメダルが払い出されることになり、投入と獲得が繰り返されても遊技者の手に触れるメダルは常にきれいなメダルで、手を汚すことなく清潔に遊技できるようになる。計数された獲得メダルをホッパーに送る送出路を設けたものにおいて、ホッパー内のメダルが一定の貯留量を超えた場合に獲得メダル投入口を閉鎖する開閉蓋等の投入禁止手段を設けると、ホッパーのオーバーフローによる故障や誤作動等を防止できる。メダル供給機への金銭の投入は、紙幣や硬貨などの現金の他、ＩＣコインやカード等を用いてもよい。表示手段は現在の持数の他にその持数のメダルを所定率のレートで換金した際の時価と総投入金額を表示して損益を把握できるようにしてもよい。精算前の持数情報の出力方法としては、紙のレシートに印字する方法や、ＩＣコインやＩＣカード等に電気的に書き込む方法がある。以下、本発明の各実施例を図面に基づいて具体的に説明する。
【実施例１】
【００１０】
図１〜７に示す実施例１は、入力手段としてテンキーを用いたメダル供給機の例である。図１は実施例１の遊技設備の説明図、図２は実施例１の遊技機とメダル供給機の斜視図、図３は実施例１のメダル供給機の内部の説明図、図４は実施例１のメダル枚数表示器と入力装置の説明図、図５〜７は実施例１のフローチャートである。
【００１１】
実施例１の遊技設備１は、複数並設した遊技機１０とメダル供給機２０の上方にメダルｍを搬送する搬送ライン２を設け、搬送ライン２のメダルｍを取り込む取込み装置３を設け、取込み装置３で取り込んだメダルｍを遊技機１０とメダル供給機２０の内部に補給する補給路４を設け、遊技機１０とメダル供給機２０から排出されたメダルｍを回収する回収ライン５を設け、回収ライン５のメダルｍを洗浄研磨する洗浄研磨装置６を設け、洗浄研磨されたメダルｍを搬送ライン２へ送り出す送出し装置７を設けている。８は管理コンピュータ、８ａは接続部である。
【００１２】
遊技機１０は、メダルｍを投入するメダル投入口１１を設け、遊技結果に応じて払い出されたメダルｍ（以下獲得メダルｍａという）を受ける受皿１２を設け、補給路４で補給されたメダルｍを払い出し時まで一時貯留するホッパー１３を設け、余剰のメダルｍを回収ライン５へ排出する排出路１４を設けている。１３ａはメダルセンサー、１５は遊技の進行・メダルｍの投入枚数の計数及び払い出しを制御するコントローラ、１６は現在のクレジット枚数と最大クレジット枚数を表示するクレジット枚数表示器、１７はクレジット分のメダルｍをホッパー１３から受皿１２へ払い出すクレジット解除ボタンである。この遊技機１０はメダルｍの最大クレジット枚数が５０枚に設定されている。なお、獲得メダルｍａは他の遊技機１０で獲得したメダルやメダル箱及び手持ちの分も含む。
【００１３】
メダル供給機２０は、投入された紙幣の金額を識別して金額情報を出力するビルバリ２１を設け、補給路４で補給されたメダルｍを払い出し時まで一時貯留するホッパー２２を設け、ホッパー２２からメダルｍを払い出す払出口２３を設け、払出口２３から払い出されたメダルｍを遊技機１０のメダル投入口１１へ移送する屈曲自在のシュート２４を設けている。また、獲得メダルｍａを投入する獲得メダル投入口２５を下方に設け、投入された獲得メダルｍａを計数するメダル計数機２６ａを備えた下部ホッパー２６を設け、獲得メダルｍａの計数枚数と遊技に使用できるメダルｍの現在枚数とを表示するメダル枚数表示器２７（表示手段）を設け、計数された獲得メダルｍａを回収ライン５へ排出する排出路２８を設け、投入金額に応じた枚数のメダルｍの払出し制御と投入された獲得メダルｍａの計数制御と遊技者が入力指定した枚数のメダルｍを払い出すクレジット制御とメダル枚数表示器２７の表示制御を行うコントローラ２９（制御手段）を設け、遊技終了後に遊技者のメダルｍの持数をレシートＰに出力するレシート出力装置３０を設けている。
【００１４】
２１ａは投入金額表示器、２１ｂは紙幣投入口、２２ａはメダルセンサー、２４ａはメダル投入口１１と係合するアダプタ、３０ａはレシートの出力ボタン、３１はメダルｍの払い出し枚数を遊技者が入力指定する入力装置（入力手段）、３１ａはテンキー、３１ｂは決定キー、３１ｃは取消しキー、３１ｄは入力した枚数を表示する表示画面、Ｐはレシートである。このメダル供給機２０の貸し出し枚数は５０枚／１０００円に設定されている。
【００１５】
実施例１では、シュート２４を上下左右に屈曲させてアダプタ２４ａを遊技機１０のメダル投入口１１に係合し、遊技者がメダル供給機２０の紙幣投入口２１ｂに１０００円を投入すると、メダル枚数表示器２７に５０枚が現在枚数として表示される。遊技者が遊技機１０のクレジット枚数表示器１６を見て最大クレジット枚数と現在のクレジット枚数との差分枚数又はそれ以下の枚数を入力装置３１で入力指定すると、その入力指定された枚数のメダルｍがホッパー２２から払い出され、シュート２４を通じてメダル投入口１１へ移送されてクレジットされ、クレジット枚数表示器１６に前記入力指定された枚数が現在のクレジット枚数として表示されるとともにメダル枚数表示器２７の現在枚数がクレジット枚数分減少し、遊技が開始される。なお、前記の差分枚数以上の枚数を入力指定してクレジットすると、超過分のメダルｍが受皿１２に払い出される。
【００１６】
遊技の結果により獲得メダルｍａが遊技機１０の受皿１２に払い出されると、遊技者は遊技の合間をみて受皿１２の獲得メダルｍａをメダル供給機２０の獲得メダル投入口２５へまとめて投入する。投入された獲得メダルｍａは下部ホッパー２６に貯留した後にメダル計数機２６ａで計数して排出路２８により回収ライン５へ排出されて回収される。メダル枚数表示器２７の獲得枚数は獲得メダルｍａの計数分増加して現在枚数に累計され、遊技者はそのメダル枚数表示器２７の現在枚数とクレジット枚数表示器１６の表示枚数の合算値で持数を確認しながら遊技する。獲得枚数は獲得メダルｍａの投入が一定時間無いとリセットされる。回収された獲得メダルｍａは洗浄研磨装置６で洗浄研磨され、搬送ライン２で再び搬送されて補給される。
【００１７】
クレジット枚数表示器１６の表示枚数が０又は残り少なくなった場合は、遊技者がメダル枚数表示器２７に表示されている現在枚数の範囲内で最大クレジット枚数と現在のクレジット枚数との差分枚数又はそれ以下の枚数を入力装置３１で入力指定し、その入力指定された枚数のメダルｍが払い出され、シュート２４でメダル投入口１１へ自動的にクレジットして遊技が継続される。この入力装置３１により、従来技術においてクレジット時に受皿１２へ払い出される超過分のメダルｍをメダル供給機２０へ戻していた手間を省略できる。クレジット枚数表示器１６の表示枚数とメダル枚数表示器２７の現在枚数が０の場合は遊技を終了するか、あるいは紙幣を追加投入して遊技を再開する。
【００１８】
遊技終了後はクレジット解除ボタン１７を押してクレジット分のメダルｍをホッパー１３から受皿１２へ払い戻し、その受皿１２のメダルｍ（メダル箱や手持ちの分も含む）を獲得メダル投入口２５へ全て投入して計数し、出力ボタン３０ａを押してレシート出力装置３０でメダルｍの持数が印字されたレシートＰを出力し、カウンターに持ち込んで精算される。
【００１９】
このように、実施例１では獲得メダルｍａも遊技者の手を借りずに全てシュート２４で自動的に投入されるから、遊技者はシュート２４の取り外しや獲得メダルｍａの１枚ずつの投入など煩わしい作業から解放されて遊技に集中できるようになった。また、最大クレジット枚数を超えない枚数のメダルｍを払い出すように入力装置３１で制限できるようにしたから、受皿１２に払い出された超過分のメダルｍを獲得メダル投入口２５に戻す作業を省略でき、遊技者にとって遊技機１０以外の操作事がさらに軽減されて遊技に集中できるようになった。さらに、また、一度使用したメダルは排出路２８で回収ライン５へ排出し、メダル供給機２０のホッパー２２には常に洗浄研磨したメダルｍを補給して排出分のメダルをホッパー２２から払い出して投入するようにしたから、遊技機１０の受皿１２には常に洗浄研磨済みのメダルｍが払い出されることになり、遊技者は手を汚すことなく清潔に遊技できるようになった。
【実施例２】
【００２０】
図８に示す実施例２は、獲得メダル投入口に投入された獲得メダルを排出せずにホッパーへ送り出し、そのメダルを遊技機のメダル投入口に投入できるようにしたメダル供給機の例である。図８は実施例２のメダル供給機の内部の説明図である。図中、２５ａは開閉蓋（投入禁止手段）、３２は送出路である。
【００２１】
実施例２のメダル供給機２０は、実施例１の排出路２８を省略し、獲得メダル投入口２５から投入された獲得メダルｍａを下部ホッパー２６のメダル計数機２６ａで計数した後、ホッパー２２へ送り出すリフター等の送出路３２を設け、獲得メダル投入口２５を電動で開閉する開閉蓋２５ａを設け、ホッパー２２のメダルセンサー２２ａがメダルｍと接触して検知すると獲得メダル投入口２５を閉鎖するように開閉蓋２５ａを作動させる制御をコントローラ２９に備えている。この例は、メダルｍの使用頻度が低い（メダルｍが汚れにくい）遊技設備１に有用であり、簡易な構造にして低コストで実施できる。その他、符号、構成、作用効果は実施例１と同じである。
【実施例３】
【００２２】
図９に示す実施例３は、予め設定した払い出し枚数を選択できる複数の枚数指定ボタンを備えた入力装置の例である。図９は実施例３のメダル枚数表示器と入力装置の説明図である。図中、３１ｅは枚数指定ボタンである。
【００２３】
実施例３の入力装置３１は、枚数指定ボタン３１ｅを１０個備え、５〜５０の払出し枚数が５枚単位にそれぞれ設定されている。コントローラ２９は、いずれかの枚数指定ボタン３１ｅが操作されると、メダル枚数表示器２７に表示されている現在枚数の範囲内で枚数指定ボタン３１ｅに設定されている枚数分のメダルｍを払い出す制御を備えている。したがって、遊技者は枚数指定ボタン３１ｅのいずれかを操作するだけで任意の枚数を容易に追加クレジットでき、実施例１と比較して枚数の入力手間を省略できる。その他、符号、構成、作用効果は実施例１と同じである。
【産業上の利用可能性】
【００２４】
本発明の遊技設備のメダル供給機はスロットマシン等に有用である。
【図面の簡単な説明】
【００２５】
【図１】実施例１の遊技設備の説明図である。
【図２】実施例１の遊技機とメダル供給機の斜視図である。
【図３】実施例１のメダル供給機の内部の説明図である。
【図４】実施例１のメダル枚数表示器と入力装置の説明図である。
【図５】実施例１のフローチャートである。
【図６】実施例１のフローチャートである。
【図７】実施例１のフローチャートである。
【図８】実施例２のメダル供給機の内部の説明図である。
【図９】実施例３のメダル枚数表示器と入力装置の説明図である。
【符号の説明】
【００２６】
１  遊技設備
２  搬送ライン
３  取込み装置
４  補給路
５  回収ライン
６  洗浄研磨装置
７  送出し装置
８  管理コンピュータ
８ａ  接続部
１０  遊技機
１１  メダル投入口
１２  受皿
１３  ホッパー
１３ａ  メダルセンサー
１４  排出路
１５  コントローラ
１６  クレジット枚数表示器
１７  クレジット解除ボタン
２０  メダル供給機
２１  ビルバリ
２１ａ  投入金額表示器
２１ｂ  紙幣投入口
２２  ホッパー
２２ａ  メダルセンサー
２３  払出口
２４  シュート
２４ａ  アダプタ
２５  獲得メダル投入口
２５ａ  開閉蓋
２６  下部ホッパー
２６ａ  メダル計数機
２７  メダル枚数表示器（表示手段）
２８  排出路
２９  コントローラ（制御手段）
３０  レシート出力装置
３０ａ  出力ボタン
３１  入力装置（入力手段）
３１ａ  テンキー
３１ｂ  決定キー
３１ｃ  取消しキー
３１ｄ  表示画面
３１ｅ  枚数指定ボタン
３２  送出路
ｍ  メダル
ｍａ  獲得メダル
Ｐ  レシート
【図１】
2008200257.tif 000003
【図２】
2008200257.tif 000004
【図３】
2008200257.tif 000005
【図４】
2008200257.tif 000006
【図５】
2008200257.tif 000007
【図６】
2008200257.tif 000008
【図７】
2008200257.tif 000009
【図８】
2008200257.tif 000010
【図９】
2008200257.tif 000011